(57)【要約】【課題】光コネクタアダプタ等のコネクタハウジングのコネクタ穴の奥側の被接続側光コネクタからの出射光をシャッターによって遮光する技術に関し、コネクタハウジングの大型化等の影響を与えること無く、シャッターを設置できる技術の開発が求められていた。【解決手段】コネクタハウジング１４の中央部にシャッターユニット１５を組み込み、コネクタ穴内の被接続側光コネクタ１６Ｂからの出射光を、シャッターユニット１５のシャッター片５３Ａによって遮光できるシャッター付き光コネクタ１０を提供する。さらに、シャッターユニット１５を導電性の部材とすることで、光コネクタを大型化すること無く電磁波シールド性能を確保できる。【選択図】  図１３
2004177417.tif 000002
【特許請求の範囲】
【請求項１】
光コネクタが挿入、接続されるコネクタ穴内にて前記光コネクタと被接続側光コネクタとが接続されるようになっているコネクタハウジングに、前記被接続側光コネクタから出射される光を遮光するシャッターユニットが組み込まれており、
前記シャッターユニットは、前記コネクタ穴内での前記光コネクタと前記被接続側光コネクタとの接続位置付近に取り付けられる本体部と、この本体部から前記コネクタ穴に突出するようにして、前記被接続側光コネクタの先端に露出する光ファイバからの出射光を遮光可能に配置される舌片状のシャッター片とを有し、
前記シャッター片は、前記コネクタ穴へ挿入した前記光コネクタによって押圧されることで前記コネクタ穴内への突出量を減少するように押し倒されて前記光コネクタの前記被接続側光コネクタに対する接続を可能とし、しかも、この変位後、前記コネクタ穴から前記光コネクタが抜き去られると、シャッター片自身の弾性あるいは前記シャッターユニットに設けられている付勢手段の付勢力によって前記出射光を遮光可能な位置に復帰するようになっていることを特徴とするシャッター付き光コネクタ。
【請求項２】
前記コネクタハウジングが、取付壁に形成されたコネクタ取付穴に位置決めして前記取付壁に取り付けられるものであり、
前記シャッターユニットの本体部には、前記コネクタ穴を横切るようにして前記コネクタハウジングに設けられ、コネクタハウジングを前記取付壁に取り付けたときには、前記コネクタ取付穴のほぼ全体を塞ぐように配置される導電性の部材である遮蔽板が形成されており、
前記遮蔽板には、前記コネクタ穴に対応する部分に前記光コネクタが挿通可能な窓が形成されており、前記シャッター片は前記コネクタ穴の開口部から見て前記窓を塞ぐように配置されていることを特徴とする請求項１記載のシャッター付き光コネクタ。
【請求項３】
前記シャッター片が導電性の部材であることを特徴とする請求項１又は２記載のシャッター付き光コネクタ。
【請求項４】
前記コネクタハウジングが、前記コネクタ穴の軸方向中央部で分割された２つのハウジング半体からなり、前記シャッターユニットは、前記２つのハウジング半体同士の接合部付近にて、前記２つのハウジング半体によって保持するようにして前記コネクタハウジング内に組み込まれていることを特徴とする請求項１〜３のいずれかに記載のシャッター付き光コネクタ。
【請求項５】
前記シャッターユニットの前記シャッター片は、枢着部によって、前記本体部に対して、前記コネクタ穴の軸線方向に対してほぼ直交する方向の回転軸線を以て回転自在に連結されており、
前記付勢手段は、シャッター片の前記枢着部による回転軸線から延びる先端部よりも前記回転軸線側にずれた位置に当接するように配置された板状又はピン状のバネであり、
前記バネは、前記コネクタ穴に挿入された光コネクタによって押圧された前記シャッター片の回転によって弾性変形され、前記コネクタ穴から前記光コネクタを抜き去ると、弾性復帰して前記シャッター片を前記出射光を遮光可能な位置に押し戻すようになっていることを特徴とする請求項１〜４のいずれかに記載のシャッター付き光コネクタ。
【請求項６】
前記シャッターユニットには、前記シャッター片が、前記本体部を介して両側に対向配置されていることを特徴とする請求項１〜５のいずれかに記載のシャッター付き光コネクタ。
【請求項７】
各シャッター片と本体部との連結位置が、本体部を介して両側に対向し、かつ、コネクタハウジングのコネクタ穴の中心軸線を介して両側となるところに位置しており、各シャッター片は前記本体部との連結位置からコネクタ穴に突出するようにして設けられていることを特徴とする請求項６記載のシャッター付き光コネクタ。
【発明の詳細な説明】
【０００１】
【発明の属する技術分野】
本発明は、光コネクタに係り、特に、光コネクタが挿入、接続されるコネクタハウジングにおいて、被接続側光コネクタからの出射光を遮光するシャッターが設けられているシャッター付き光コネクタに関する。
【０００２】
【従来の技術】
図１７に示すように、例えば、光コネクタアダプタ１のコネクタ穴２に光コネクタ３（光コネクタプラグ）を挿入して、光コネクタアダプタ１に逆側から挿入接続されている光コネクタ４（光コネクタプラグ。以下「アダプタ側光コネクタ」と称する場合がある）に対して接続する場合、アダプタ側光コネクタ４先端からの出射光Ｈが、挿入側の光コネクタ３を操作する作業者の目に入らないように防護したい要求がある。同様の要求は、例えば、光コネクタレセプタクル等の各種コネクタハウジングに対する光コネクタの挿入、接続に共通に存在する。
前述の要求に鑑みて、例えば、光コネクタアダプタ１のコネクタ穴２の開口部付近に、コネクタ穴２を開閉する蓋を取り付け、アダプタ側光コネクタ４からの出遮光を遮光することが幾つか提案されている（例えば特許文献１、２参照）。
【０００３】
【特許文献１】
特開平６−２０１９５３号公報
【特許文献２】
特開２００２−２４３９７８号公報
【０００４】
【発明が解決しようとする課題】
しかしながら、前述の蓋による遮光には、以下のような問題があった。
（１）多くのものは、光コネクタの挿入時に手動で開放操作する必要があり、この操作の手間が面倒である。
（２）光コネクタアダプタに開閉自在に取り付けるための構成が複雑であり、多数の部品によって構成されるものが多く、コストが高く付く。この場合、小型化が困難であり、光コネクタアダプタの大幅な設計変更、大型化が必要となる。
（３）前記（２）のように小型化が困難なことから、光コネクタアダプタの多心化、コネクタ取付穴の高密度化、小型化に対応できない。
【０００５】
また、近年、電気、電子機器について電磁波シールド性能の要求が高まっており、筐体内部の電子部品等が外部の電磁波の影響を受けないように保護したり、機器からの電磁波の放射を防止して外部の他の電気、電子機器に電磁波の影響を与えないようにするために、導電性を有する金属製筐体等、電磁波シールド性能を有する筐体の採用が普及しているが、図１８〜図２０に例示するように、光コネクタアダプタ１を筐体５の取付壁６に取り付けるには、光コネクタアダプタ１を挿入可能な大きさのコネクタ取付穴７を取付壁６に形成する必要がある。また、光コネクタアダプタ１はプラスチック製のものが広く用いられており、このようなプラスチック製の光コネクタアダプタ１をコネクタ取付穴７に挿入して取付壁６に取り付けた場合、筐体５が電磁波シールド性能を有するものであってもコネクタ取付穴７の電磁波シールド性能を確保することができない。これに鑑みて、光コネクタアダプタ１の外側に導電性のカバーを取り付けることが検討されるが、例えば、この導電性のカバーを光コネクタアダプタ１のコネクタ穴２の開口部付近にまで設けることは、光コネクタアダプタ１に対する光コネクタ３の接続作業性の確保の点で事実上不可能であるため、結局、コネクタ取付穴７の電磁波シールド性を確保できない。このため、機器の筐体等の取付壁に形成されたコネクタ取付穴の電磁波シールド（遮蔽）を効果的に実現できる技術の開発が求められていた。
なお、この電磁波シールドの問題も光コネクタアダプタに限定されず、例えば、光コネクタレセプタクル等、光コネクタプラグが挿入接続される構成の各種光コネクタについても、取り付けのために取付壁にコネクタ取付穴を形成する場合に共通して生じる。
【０００６】
本発明は、前記課題に鑑みて、遮光用のシャッターの小型化、低コスト化が容易で、しかも、取り付け位置精度、取り付け安定性も確保でき、コネクタハウジングの小型化、高密度化（コネクタ取付穴の高密度化）を実現でき、また、機器の筐体等の取付壁に形成されたコネクタ取付穴に位置決めして取り付けることで、コネクタ取付穴の電磁波シールド性の確保も容易に実現できるシャッター付き光コネクタの提供を目的としている。
【０００７】
【課題を解決するための手段】
上記課題を解決するために本発明では、光コネクタが挿入、接続されるコネクタ穴内にて前記光コネクタと被接続側光コネクタとが接続されるようになっているコネクタハウジングに、前記被接続側光コネクタから出射される光を遮光するシャッターユニットが組み込まれており、前記シャッターユニットは、前記コネクタ穴内での前記光コネクタと前記被接続側光コネクタとの接続位置付近に取り付けられる本体部と、この本体部から前記コネクタ穴に突出するようにして、前記被接続側光コネクタの先端に露出する光ファイバからの出射光を遮光可能に配置される舌片状のシャッター片とを有し、前記シャッター片は、前記コネクタ穴へ挿入した前記光コネクタによって押圧されることで前記コネクタ穴内への突出量を減少するように押し倒されて前記光コネクタの前記被接続側光コネクタに対する接続を可能とし、しかも、この変位後、前記コネクタ穴から前記光コネクタが抜き去られると、シャッター片自身の弾性あるいは前記シャッターユニットに設けられている付勢手段の付勢力によって前記出射光を遮光可能な位置に復帰するようになっていることを特徴とするシャッター付き光コネクタを前記課題の解決手段とした。
【０００８】
この発明に係るシャッター付き光コネクタのコネクタハウジングは、例えば、光コネクタアダプタのように、対向する両側から挿入、接続された光コネクタプラグ同士が内部で接続される構成のものや、コネクタ穴への光コネクタプラグの挿入によって光コネクタプラグと光接続される光コネクタ（光コネクタフェルールなど）を内蔵する光コネクタレセプタクル等、光コネクタプラグが挿入、接続されるコネクタ穴を有する光コネクタである。
シャッター片は、被接続側光コネクタからの出射光を遮光できる遮光性を有するものであり、コネクタ穴の軸方向に対して傾斜させて（傾斜角度９０度も含む）本体部から延出されることで、コネクタ穴内にて、コネクタハウジング内の被接続側光コネクタからの出射光を遮光可能に配置される。但し、シャッター片部は、少なくとも、被接続側光コネクタからの出射光を遮光する位置には配置されるが、必ずしも、コネクタ穴全体を確実に塞ぐ大きさである必要は無い。
【０００９】
被接続側光コネクタとは、光コネクタアダプタ（コネクタハウジング）においては、コネクタ穴への光コネクタの挿入前に、先行してコネクタ穴に挿入されている光コネクタプラグのことを指し、コネクタ穴への光コネクタの挿入によって、コネクタ穴内で光コネクタと接続される。光コネクタレセプタクル（コネクタハウジング）においては、例えば、図１６（ａ）、（ｂ）に示すように、光コネクタレセプタクル５ａ、５ｂのハウジング５ｈに組み込まれてコネクタ穴６奥側（図１６（ａ）、（ｂ）右側）に配置され、コネクタ穴６に挿入された光コネクタ７が接続されるようになっている部分が被接続側光コネクタである。図１６（ａ）の光コネクタレセプタクル５ａでは、ハウジング５ｈと別体の光コネクタ８であるが、これに限定されず、例えば図１６（ｂ）に示す光コネクタレセプタクル５ｂのように、ハウジング５ｈの一部をコネクタ状に成形した部分９（この部分８が被接続側光コネクタ）であっても良い。なお、図１６（ａ）、（ｂ）では、シャッターユニットの本体部の図示を省略している。
【００１０】
この発明では、前記コネクタハウジングが、取付壁に形成されたコネクタ取付穴に位置決めして前記取付壁に取り付けられるものであり、前記シャッターユニットの本体部には、前記コネクタ穴を横切るようにして前記コネクタハウジングに設けられ、コネクタハウジングを前記取付壁に取り付けたときには、前記コネクタ取付穴のほぼ全体を塞ぐように配置される導電性の部材である遮蔽板が形成されており、前記遮蔽板には、前記コネクタ穴に対応する部分に前記光コネクタが挿通可能な窓が形成されており、前記シャッター片は前記コネクタ穴の開口部から見て前記窓を塞ぐように配置されている構成も採用可能である。
この構成では、シャッターユニットの本体部である遮蔽板が、取付壁のコネクタ取付穴の電磁波シールド性を確保するための電磁波シールド部材として機能する。また、この構成では、シャッター片など、シャッターユニットを構成するより多くの部材について、導電性を有する部材を採用して、電磁波シールド部材として機能させることが、コネクタ取付穴の電磁波シールド性の確保の点でより好ましい。遮蔽板は、例えば、取付壁に設けられている導電性の部材や、取付壁自体が導電性を有する場合にはこの取付壁自体をグランドとして電気的に接続することで、電磁波シールド機能を効果的に発揮する。電磁波シールド性能を有する遮蔽板としては、例えばステンレス等の導電性の金属板から形成したものや、板材等の基材に導電性の塗料（例えば、電磁波吸収作用を持つ磁性金属粉を混入したペースト等）を塗布したもの、導電性繊維（金属繊維等）からなる導電性布帛を板材に固定したものなど、各種構成が採用可能である。シャッターユニットの構成部材の内、遮蔽板以外の部材にも電磁波シールド性を有するものを採用する場合も、同様のものを採用できる。
また、遮蔽板に形成されている窓は、光コネクタプラグの挿通が可能な程度の大きさであれば良く、コネクタ取付穴の電磁波シールド性の確保の点では、出来るだけ小さく形成することが好ましい。これにより、窓に相当する僅かな部分を除いて、コネクタ取付穴の大部分を覆うように遮蔽板を配置できるため、コネクタ取付穴の電磁波シールド性を効果的に確保できる。光コネクタプラグとして、例えば、図３、図１３等に例示した光コネクタプラグ（ＭＰＯ形光コネクタプラグ）のように、光コネクタアダプタ等のコネクタハウジングへの挿入前側となる部分（以下、挿入部とも言う。図３、図１３等に例示した光コネクタプラグではハウジング１７）が、他の部分に比べて断面形状が小さく（細く）形成されている構成になっている光コネクタプラグを採用する場合、遮蔽板に形成する窓の大きさを光コネクタプラグの挿入部にほぼ一致する大きさまで縮小することが可能となり、コネクタ取付穴の電磁波シールド性の確保の点で有利である。
【００１１】
コネクタ取付穴の電磁波シールド性の確保は、シャッター片として導電性の部材を採用することによっても達成し得る。コネクタ取付穴の電磁波シールド性の確保の点では、シャッター片として、被接続側光コネクタから出射される光を遮光する位置にあるときにコネクタ穴を出来るだけ広範囲にわたって塞ぐことができる形状、寸法のものを採用することがより好ましい。また、遮蔽板を本体部との併用によって、電磁波シールド性能を一層高められることは言うまでも無い。
なお、シャッター片が被接続側光コネクタから出射される光を遮光する位置（以下、遮光位置とも言う）にあるときに、このシャッター片によってコネクタ穴のほぼ全体を塞ぐことができる構成であれば、遮光位置のシャッター片を、該シャッター片と被接続側光コネクタとの間の空間への埃等の侵入を防止する防塵シャッターとしても機能させることができる。
【００１２】
シャッターユニットのコネクタハウジングに対する組み込みは、例えば、コネクタハウジングの組み立て時での組み込み、外部からの挿入や組み付け、プラスチック等の合成樹脂製の光コネクタの形成樹脂中への埋設等、各種採用可能である。
本発明では、前記コネクタハウジングが、前記コネクタ穴の軸方向中央部で分割された２つのハウジング半体からなり、前記シャッターユニットは、前記２つのハウジング半体の接合部付近にて、前記２つのハウジング半体の間に保持するようにして前記コネクタハウジング内に組み込まれている構成も採用可能である。コネクタハウジングが、例えば、２つのハウジング半体を一体化して組み立てられる光コネクタアダプタの場合、２つのハウジング半体の一体化の際に、２つのハウジング半体の間にシャッターユニットを割り込ませるようにして組み込むことができる構成などが採用可能である。この場合、２つのハウジング半体の接合部付近に、シャッターユニットを収容するための凹所を形成した構成なども採用可能である。また、２つのハウジング半体を分離してコネクタハウジングを解体することで、シャッターユニットを取り出せるようになっている構成も採用可能である。
【００１３】
また、この発明では、前記シャッターユニットの前記シャッター片は、枢着部によって、前記本体部に対して、前記コネクタ穴の軸線方向に対してほぼ直交する方向の回転軸線を以て回転自在に連結されており、前記付勢手段は、シャッター片の前記枢着部による回転軸線から延びる先端部よりも前記回転軸線側にずれた位置に当接するように配置された板状又はピン状のバネであり、前記バネは、前記コネクタ穴に挿入された光コネクタによって押圧された前記シャッター片の回転によって弾性変形され、前記コネクタ穴から前記光コネクタを抜き去ると、弾性復帰して前記シャッター片を前記出射光を遮光可能な位置に押し戻すようになっている、構成も採用可能である。
本発明に係るシャッターユニットとしては、全体が一枚の金属板の加工によって形成されたものなども採用可能であるが、上述のように、枢着部によって本体部に対して回転自在に連結されたシャッター片と、付勢手段とを別部材とすることも可能である。さらに、上述のように、付勢手段としてのバネが、シャッター片の前記枢着部による回転軸線から延びる先端部よりも前記回転軸線側にずれた位置に当接するになっている構成であれば、シャッター片の回転変位に比べて、バネの変位量を少なくできるため、例えば、シャッター片を含めてシャッターユニット全体を一枚の金属板から形成し、コネクタ穴に挿入された光コネクタによて押し倒されたシャッター片がコネクタ穴からの光コネクタの抜き出し時にシャッター片自身の弾性によって被接続側光コネクタからの出射光を遮光可能な位置に復帰するようにした場合と比べれば、バネの変形がシャッター片の変形よりも少なくて済み、コネクタハウジングへの光コネクタの接続、抜き出しの繰り返し等に対してバネの劣化を抑えることができる。結果、上述の構成では、バネの耐久性を向上でき、被接続側光コネクタからの出射光を遮光する機能を有するシャッター付き光コネクタとして、長期信頼性が得られる。
【００１４】
前記シャッターユニットでは、前記シャッター片が、前記本体部を介して両側に対向配置されている構成を採用した場合には、光コネクタアダプタ等、コネクタ穴の対向する両側から挿入される光コネクタ（光コネクタプラグ）同士がコネクタ穴内で接続される構成のコネクタハウジングに適用する場合、コネクタ穴に両側から挿入して接続される光コネクタの内、どちらを被接続側光コネクタとしても、同様に、被接続側光コネクタ先端からの出射光を遮光できる。しかも、一つのシャッターユニットをコネクタハウジングに組み込むだけで、コネクタハウジングの大型化やコスト上昇を殆ど（あるいは全く）招くことなく、コネクタ穴に両側から挿入して接続される光コネクタのどちらに対しても遮光機能を発揮できる利点がある。
シャッターユニットでは、前記シャッター片が、前記本体部を介して両側に対向配置されている構成の場合、さらに、各シャッター片と本体部との連結位置が、本体部を介して両側に対向し、かつ、コネクタハウジングのコネクタ穴の中心軸線を介して両側となるところに位置しており、各シャッター片は前記本体部との連結位置からコネクタ穴に突出するようにして設けられている構成を採用することも可能である。
【００１５】
【発明の実施の形態】
以下、本発明の実施の形態を、図面を参照して説明する。
【００１６】
図１（ａ）〜（ｄ）は本発明の１実施形態のシャッター付き光コネクタ１０の外観を示す図、図２は機器の筐体１１の取付壁１２（パネル）に対するシャッター付き光コネクタ１０の取付状態を示す図であって取付壁１２に開口されたコネクタ取付穴１３付近を示す断面図、図３は図２のシャッター付き光コネクタ１０の取付壁１２に対する取付状態を筐体１１外側から見た斜視図、図４は取付壁１２に形成されたコネクタ取付穴１３を示す斜視図、図５は図２のシャッター付き光コネクタ１０の取付壁１２に対する取付状態を筐体１１内側から見た斜視図、図６はシャッター付き光コネクタ１０のシャッターユニット１５の構造を示す斜視図、図７は本発明に係るシャッター付き光コネクタ１０（コネクタハウジング１４内にシャッターユニット１５を組み込んだもの）を示す全体斜視図、図８はシャッター付き光コネクタ１０の構造を示す分解図である。
【００１７】
図８に示すように、前記シャッター付き光コネクタ１０は、光コネクタアダプタを構成するコネクタハウジング１４の内部に、シャッターユニット１５を組み込んだ構成になっている。
【００１８】
図１（ａ）〜（ｄ）において、前記コネクタハウジング１４は、ＭＰＯ形光コネクタ（ＭＰＯ：Multifiber Push-On。例えばＪＩＳ  Ｃ  ５９８２、ＩＥＣ  １７５４−７発行に制定されるもの）の光コネクタアダプタである。このコネクタハウジング１４は、全体がプラスチック等の合成樹脂製であり、内部を貫通するコネクタ穴１４ａを有するスリーブ状の概略構造に形成されている。このコネクタハウジング１４は、一対のハウジング半体１４Ａ、１４Ｂを接合、一体化して組み立てられる。
図９に示すように、各ハウジング半体１４Ａ、１４Ｂは、例えばプラスチック等の合成樹脂によって形成された一体成形品であり、スリーブ状のハウジング本体部１４ｂと、このハウジング本体部１４ｂの軸方向一端から対向する両側に突設された突片１４ｃとを有している。そして、コネクタハウジング１４は、一対のハウジング半体１４Ａ、１４Ｂを軸方向に直列に接合、一体化して組み立てられるようになっている。なお、図９は、シャッターユニット１５を組み込まずに、ハウジング半体１４Ａ、１４Ｂ同士を直接接合した状態を示す。
【００１９】
一対のハウジング半体１４Ａ、１４Ｂは、突片１４ｃが形成されている側の端部（ハウジング本体部１４ｂの軸方向一方の端部。以下、接合端面側の軸方向端部と言う場合がある）同士を接合して一体化されるようになっており、これにより、各ハウジング半体１４Ａ、１４Ｂの突片１４ｃ同士の重ね合わせによって構成された突片１４Ｃが軸方向中央部（コネクタ穴１４ａ軸方向）の対向する両側に突設されたコネクタハウジング１４が組み立てられる。
また、図６に示すように、一対のハウジング半体１４Ａ、１４Ｂは、突片１４ｃが形成されている側の端面（接合端面１４ｉ）に形成されている嵌合突起１４ｄと、嵌合穴１４ｅとの嵌合によって、コネクタ穴同士が連通するように位置決めして一体化される。ここでは、一対のハウジング半体１４Ａ、１４Ｂは、同様の構成であり、一方のハウジング半体１４Ａに突設されている嵌合突起１４ｄを他方のハウジング半体１４Ｂに形成されている嵌合穴（図示略）に嵌合し、他方のハウジング半体１４Ｂに突設されている嵌合突起１４ｄ（図示略）を一方のハウジング半体１４Ａの嵌合穴１４ｅに嵌合するようになっているが、これに限定されず、ハウジング半体１４Ａ、１４Ｂ同士を位置決めして一体化、固定する構成としては各種採用可能である。また、ハウジング半体１４Ａ、１４Ｂ同士は、適宜、接着剤等を用いて、一体化状態に固定する。
【００２０】
図１（ｃ）、（ｄ）、図９（ａ）、（ｂ）等において、符号１４ｆは、コネクタハウジング１４内の係合爪（弾性爪）であり、コネクタハウジング１４に挿入、接続される光コネクタ１６Ａ、１６Ｂ（図３、図５参照。ここではＭＰＯ形光コネクタ（例えばＪＩＳ  Ｃ  ５９８２、ＩＥＣ  １７５４−７発行に制定されるもの）の光コネクタプラグ。以下、光コネクタ１６Ａ、１６Ｂについて共通の構成について説明する場合に、符号１６を付して説明する場合がある）のスリーブ状のハウジング１７の側部に形成されている係合部（係合凹所等。図示略）に係脱可能に係合する。
【００２１】
前記係合爪１４ｆは、ハウジング半体１４Ａ、１４Ｂのハウジング本体部１４ｂに一体に形成されており、スリーブ状のハウジング本体１４ｂ内側のコネクタ穴（ハウジング半体１４ａ側のコネクタ穴に符号１４ａ１、ハウジング半体１４ｂ側のコネクタ穴に符号１４ｂ１を付す）に内面１４ｋからコネクタ穴内に突出されている。各コネクタ半体１４Ａ、１４Ｂの係合爪１４ｆは、コネクタ半体１４Ａ、１４Ｂの接合端面１４ｉ側の軸方向端部から、コネクタ穴１４ａ軸方向において前記接合端面１４ｉとは逆の入口側（図９（ａ）、（ｂ）において、コネクタハウジング１４の左右両端部）に向けて、ハウジング本体部１４ｂ内面に沿って延びる形状になっている。また、この係合爪１４ｆのハウジング本体部１４ｂ内面に沿って延在する部分と、ハウジング本体部１４ｂ内面との間には、若干のクリアランス１４ｍが確保されている。
【００２２】
ＭＰＯ形光コネクタの光コネクタプラグである光コネクタ１６と各ハウジング半体１４Ａ、１４Ｂとは、コネクタハウジング１４（より具体的にはハウジング半体）に光コネクタ１６を挿入すると、光コネクタ１６のハウジング１７の側部の係合部に、ハウジング半体の係合爪１４ｆのハウジング本体部１４ｂからの突出先端の係合突起１４ｎが係合するとともに、この係合の解除を阻止してハウジング半体から光コネクタ１６が引き抜かれないようにするロックが掛かり、光コネクタ１６に付いているスライド片（カップリング１８）を引くと、ロックを解除させながら、コネクタハウジング１４（ハウジング半体）から光コネクタ１６を抜き去ることができる、スライドロック構造を構成する。
【００２３】
なお、係合爪１４ｆは、光コネクタ１６の種類や、ハウジング１７のサイズや、係合部の形状等によって適宜変更される。
図２、図３、図５等では係合爪１４ｆの図示を省略している。
また、符号１４ｇは、前記ハウジング１７の側部に突設されているキー１７ａが挿入されるキー溝である。
また、コネクタハウジングとしては、上述のように、光コネクタ（光コネクタプラグ）と係合する係合爪が、各ハウジング半体のハウジング本体部と一体成形されている構成に限定されず、例えば、ハウジング半体のスリーブ状のハウジング本体部とは別体のスリーブ状の内部ハウジングを収容し、この内部ハウジングに係合爪が形成されている構成なども採用可能である。
【００２４】
図６、図８、図１３に示すように、シャッターユニット１５は、一枚の金属板から曲げ等の成形によって形成された本体部５１と、この本体部５１に枢着部５２によって回転自在に取り付けられた一対のシャッター片５３Ａ、５３Ｂとを有して構成されている。また、この実施形態では、シャッターユニット１５を構成する全ての部材、すなわち、本体部５１、枢着部５２、シャッター片５３Ａ、５３Ｂは、導電性を有する部材で形成されており、互いに電気導通可能に接続されている。ここに例示する実施の形態では、本体部や、シャッター片として、導電性を有するステンレス板を成形して形成したものを例示する。
【００２５】
図１０（ａ）〜（ｃ）、図１１は本体部５１の構造を示す。
前記本体部５１は、一対のハウジング半体１４Ａ、１４Ｂの間に挟み込んで固定されるプレート状の固定板部５４と、この固定板部５４の対向する両側から、固定板部５４に対してほぼ直角となるようにして張り出された舌片状の張り出し部５５Ａ、５５Ｂとを有している。但し、一対の張り出し部５５Ａ、５５Ｂの固定板部５４からの突出向き（張り出し方向）は、固定板部５４を介して丁度、逆向きになっている。この張り出し部５５Ａ、５５Ｂは、シャッターユニット１５を一対のハウジング半体１４Ａ、１４Ｂの間に組み込んだ時に、それぞれ、ハウジング半体１４Ａ、１４Ｂのコネクタ穴１４ａ１、１４ａ２、具体的には、コネクタ穴１４ａ１、１４ａ２の前記キー溝１４ｇに対向する側を拡張した部分である拡張部１４ｏ（図６参照）に挿入されて、本体部５１をコネクタハウジング１４内の目的位置に位置決めする機能を果たす。なお、拡張部１４ｏは後述する位置決め溝１４ｈの一部を形成する。
【００２６】
前記本体部５１（詳細には固定板部５４）は、シャッターユニット１５を一対のハウジング半体１４Ａ、１４Ｂの間に組み込んだ時には、丁度、一対のハウジング半体１４Ａ、１４Ｂによって構成されるコネクタハウジング１４のコネクタ穴１４ａの軸方向中央部に、コネクタ穴１４ａを横切るように配置される。但し、コネクタ穴１４ａは、この本体部５１の固定板部５４の中央部に形成されている窓５６を介して本体部５１（詳細には固定板部５４）の両側に連通されており、本体部５１の固定板部５４が、コネクタ穴１４ａに対向する両側から挿入して接続される光コネクタ１６Ａ、１６Ｂ同士の接続の邪魔にならないようになっている。このシャッター付き光コネクタ１０では、コネクタ穴１４ａに挿入される光コネクタ１６Ａ、１６Ｂのハウジング１７が、シャッターユニット１５の本体部５１の窓５６に挿入可能であり、コネクタ穴１４ａに対向する両側から挿入された光コネクタ１６Ａ、１６Ｂの先端同士（具体的にはフェルール１９同士）が、丁度、前記本体部５１の固定板部５４付近で突き合わせ接続されるようになっている。
なお、前記本体部５１は、電磁波シールド性の確保の点では、前記窓５６を出来る限り小さくすることがより好ましく、この実施形態の例では、少なくとも、各光コネクタ１６Ａ、１６Ｂ先端のフェルール１９が通過可能な大きさが確保されていれば、光コネクタ１６Ａ、１６Ｂ同士の接続の障害にはならない。
【００２７】
また、この本体部５１並びにその固定板部５４は、ハウジング半体１４Ａ、１４Ｂのハウジング本体部１４ｂの断面形状とほぼ一致する大きさに形成されており、シャッター付き光コネクタ１０のコネクタハウジング１４を前記取付壁１２に取り付けたときには、前記コネクタ取付穴１３のほぼ全体を塞ぐように配置され、電磁波シールド性能を発揮する遮蔽板としての機能を果たす。
図６に示すように、本体部５１は、ハウジング半体１４Ａ、１４Ｂの接合端面１４ｉに形成されている嵌合突起１４ｄを、本体部５１の位置決め手段として、固定板部５４に貫通して開口されている位置決め孔５４ａに貫通させて、相手側のハウジング半体の接合端面の嵌合穴１４ｅに嵌合固定することで、嵌合突起１４ｄによって確実に位置決めして、一対のハウジング半体１４Ａ、１４Ｂの間にて正確かつ安定に固定される。ハウジング半体１４Ａ、１４Ｂ間にて、本体部５１（詳細には固定板部５４）をガタ付くことなく安定に位置決めして固定するする手段としては、前記嵌合突起に限定されず、例えば、固定板部５４をその周囲の複数箇所の位置決め突起の間に押さえ込む構成など、各種構成が採用可能である。
【００２８】
前記枢着部５２は、ここでは、張り出し部５５Ａ、５５Ｂの固定板部５４からの突出先端に取り付けられた軸であり、シャッターユニット１５を一対のハウジング半体１４Ａ、１４Ｂの間に組み込んだ時には、丁度、コネクタハウジング１４のコネクタ穴１４ａの軸方向にほぼ直交する向きに配置される。したがい、この軸（枢着部５２）によって本体部５１に対して回転自在に枢着されるシャッター片５３Ａ、５３Ｂは、枢着部５２である軸（以下、枢着部５２を軸５２とも言う）と同じ向き、すなわち、コネクタハウジング１４のコネクタ穴１４ａに対してほぼ直交する回転軸線を以て回転自在に支持される。この軸５２は、張り出し部５５Ａ、５５Ｂ先端を筒状に湾曲成形した部分（軸保持部５５ａ）の内側に収納保持されている。
【００２９】
ところで、図６に示すように、前記軸５２の両端は、張り出し部５５Ａ、５５Ｂの両側へ突出されており、張り出し部５５Ａ，５５Ｂをハウジング半体１４Ａ、１４Ｂ内に収納するにあたり、ハウジング半体１４Ａ、１４Ｂのコネクタ穴（一方のハウジング半体１４Ａのコネクタ穴については１４ａ１を付している）の一側部（ここではキー溝１４ｇと対向する側）を拡張した形状の位置決め溝１４ｈに挿入することで、ハウジング半体１４Ａ、１４Ｂに対して、本体部５１をぐらつかないように安定支持させる機能を果たす。より詳しく説明すると、前記位置決め溝１４ｈは、ハウジング半体１４Ａ、１４Ｂのコネクタ穴の一側部を、軸５２の外形とほぼ一致する形状に拡張して、ハウジング半体１４Ａ、１４Ｂの接合端面１４ｉから前記コネクタ穴の軸方向とほぼ平行に切り込んだ形状になっており、軸５２の両端が挿入される部分が、丁度、ハウジング半体１４Ａ、１４Ｂにおいてコネクタ穴の対向する両側の壁部に切り込まれたガイド溝状になっている。位置決め溝１４ｈは、このハウジング半体１４Ａ、１４Ｂの両側の壁部に切り込まれた溝状部分以外は、コネクタ穴と連通している。したがって、軸５２は、張り出し部５５Ａ、５５Ｂの両側に突出する両端を、それぞれ、軸５２の外形とほぼ一致する断面細長の位置決め溝１４ｈの断面両端に挿入して、ハウジング半体１４Ａ、１４Ｂ内に収納されるため、本体部５１並びにシャッターユニット１５全体をぐらつかないように安定支持する機能を果たす。
また、コネクタハウジング１４内へのシャッターユニット１５の組み込みを完了すると、シャッターユニット１５の本体部５１の両張り出し部５５Ａ、５５Ｂ先端の軸５２が、それぞれ、各ハウジング半体１４Ａ、１４Ｂの位置決め溝１４ｈの最奥（接合端面１４ｉから見て、最も奥側）を塞ぐ壁部１４ｊによって両側から挟み込まれるようにして保持されて、コネクタハウジング１４内でがたつかないように安定収納される。
なお、張り出し部５５Ａ、５５Ｂは、固定板部５４からの突出向きが異なるのみであり、以下、張り出し部５５Ａ、５５Ｂに共通の構成を言う場合に、符号５５を付して説明する場合がある。
【００３０】
前記位置決め溝１４ｈには、シャッターユニット１５の各張り出し部５５を収納するための部分（前述の拡張部１４ｏ）と、軸５２の張り出し部５５からの突出部が挿入される部分とがある。ハウジング半体１４Ａ、１４Ｂのキー溝１４ｇの位置は、ハウジング半体１４Ａ、１４Ｂ間で相対的に逆側になっているが、シャッターユニット１５では、前記本体部５１を介して両側に対向配置されている各シャッター片５３Ａ、５３Ｂと本体部５１との連結位置（ここでは軸５２の位置）が、本体部５１を介して両側に対向し、かつ、コネクタハウジング１４のコネクタ穴１４ａの中心軸線を介して両側（換言すれば、本体部５１の窓５６を貫通する軸線を介して両側）となるところに位置しており、シャッターユニット１５の各張り出し部５５は、丁度、各ハウジング半体１４Ａ、１４Ｂの前記位置決め溝１４ｈの内の拡張部１４ｏに挿入収納され、また、軸５２の張り出し部５５両側に突出した部分が、各ハウジング半体１４Ａ、１４Ｂの前記位置決め溝１４ｈの前記拡張部１４ｏの両側に延出して、ハウジング半体１４Ａ、１４Ｂの両側の壁部に切り込まれた溝状部分に収納される。
このシャッター付き光コネクタ１０は、コネクタハウジング１４にシャッターユニット１５を組み込んで組み立てても、シャッターユニット１５を組み込んでいない光コネクタアダプタに比べて大型化せず、シャッターユニット１５を組み込んでいない光コネクタアダプタと同じ外形サイズとすることができる。
【００３１】
シャッター片５３Ａ、５３Ｂは、シャッターユニット１５の本体部５１から前記コネクタ穴１４ａに突出する舌片状の小板片である。なお、このシャッター片５３Ａ、５３Ｂは、シャッターユニット１５の本体部５１に対する取り付け向きが異なるのみで、他の具体的構成は同様であり、以下、これらシャッター片５３Ａ、５３Ｂについて共通の構成を言う場合には、符号５３を付して説明する場合がある。
シャッター片５３は、具体的には凸形に形成されており、「凸」の先端の突起５３ａが軸５２から最も遠い側、前記突起５３ａとは逆に、「凸」の底辺に位置する部分が軸５２側となる向きで、軸５２に枢着されている。前記突起５３ａは、シャッターユニット１５を一対のハウジング半体１４Ａ、１４Ｂの間に組み込んだ時に、丁度、各ハウジング半体１４Ａ、１４Ｂのキー溝１４ｇに挿入されるようになっている。ここで、各シャッター片５３Ａ、５３Ｂは前記本体部５１との連結位置（軸５２）からコネクタ穴１４ａに突出するようにして設けられており、シャッター片５３Ａ、５３Ｂは、遮光位置（後述）にあるときは、突起５３ａがキー溝１４ｇに入り込む。シャッター片５３Ａ、５３Ｂは、コネクタ穴１４ａに挿入された光コネクタ１６によって押圧されると、押し倒されて、待避位置（後述）に至るが、このとき、突起５３ａがキー溝１４ｇから抜け出る。コネクタ穴１４ａから光コネクタ１６が引き抜かれ、シャッター片５３Ａ、５３Ｂが遮光位置に復帰するときは、再び、突起５３ａがキー溝１４ｇに入り込む。
【００３２】
各シャッター片５３は、軸５２側の端部付近を筒状に曲げ加工して軸５２を収納する軸保持部５３ｂと、軸５２側の端部付近を屈曲成形したストッパ当接部５３ｃとを有している。図１３に示すように、シャッター片５３は、軸５２を中心とする回転によって、軸５２から固定板部５４側に向けて斜めに若干傾斜する姿勢（図８実線に示すシャッター片５３Ａ、５３Ｂの位置。図１３実線で示すシャッター片５３Ａの位置。この位置を、以下「遮光位置」とも言う）と、張り出し部５５Ａ、５５Ｂとほぼ重ね合わされる姿勢（図１３中想像線で示すシャッター片５３Ａの位置、図１３中のシャッター片５３の位置。以下、この位置を「待避位置」とも言う）とを切り替えることができる。但し、図１２に示すように、シャッター片５３は、遮光位置（図１２実線で示す位置）では、前記ストッパ当接部５３ｃが張り出し部５５の先端に突き当たることで、固定板部５４に対する逆側、つまり、シャッター片５３Ａについては図１２反時計回りへのそれ以上の回転が規制される。このことは、シャッター片５３Ｂについても同様である（シャッター片５３Ｂについては、図８実線で示す遮光位置から反時計回りの回転が規制される）。張り出し部５５の固定板部５４からの突出先端は、遮光位置から固定板部５４に対する逆側へのシャッター片５３の回転を規制するストッパ５５ｂとして機能する。
【００３３】
なお、遮光位置にあるシャッター片５３は、ほぼコネクタ穴１４ａ全体を塞ぐため、この状態では、例えば、図１３に示すように、コネクタ穴１４ａの片側の開口部から先行して挿入接続された光コネクタ１６Ｂ先端（詳細にはフェルール１９先端。この光コネクタ１６Ｂを被接続側光コネクタとする）に露出する光ファイバ（図１（ｂ）、（ｄ）の符号１９ａ参照）からの出射光が、コネクタ穴１４ａの反対側の開口部から飛び出ることを防止できる。また、この遮光位置では、突起５３ａがコネクタ穴１４ａのキー溝１４ｇに入り込んでキー溝１４ｇをも塞がれるため、電磁波シールド性の点でも、優れた性能が得られる。
また、遮光位置にあるシャッター片５３は、コネクタ穴１４ａにおける前記シャッター片５３と被接続側光コネクタ１６Ｂとの間に位置する区間への埃等の侵入を防止する防塵性を発揮するため、被接続側光コネクタ１６Ｂ先端が埃等の付着によって汚染される等の不都合を防止できる。
なお、コネクタハウジング１４に、光コネクタ１６Ａ、１６Ｂのいずれも接続していないとき、シャッターユニット１５の一対のシャッター片５３がいずれも遮光位置にあれば、各シャッター片５３が防塵シャッターとしての機能を果たして、コネクタ穴１４ａの内、一対のシャッター片５３の間の区間への埃等の侵入を防止でき、この区間の清浄を維持できる。
【００３４】
図６、図８、図１３に示すように、このシャッターユニット１５には、シャッター片５３の付勢手段５７として、張り出し部５５の一部を斜めに立ち上げるようにして成形して、固定板部５４側から、前記遮光位置にあるシャッター片５３の前記枢着部５２から離れた部位に当接されるように延出された板状のバネ（以下、付勢手段をバネ５７とも称する）を採用している。このバネ５７は、シャッター片５３を固定板部５４から遠ざける方向に付勢する機能を果たす。遮光位置にあるシャッター片５３は、バネ５７の付勢力によってストッパ当接部５３ｃに押し付けられるようになり、ぐらつかないように保持される。
付勢手段としては、前述のバネ５７以外、例えば、シャッター片５３の一部を板バネ状に加工したものや、本体部５１とは別部材のバネなど、各種構成が採用可能である。
【００３５】
図１０（ａ）〜（ｃ）、図１１に示すように、前記バネ５７は、具体的には、張り出し部５５の幅方向（本体部５１からの突出方向に直交する面方向）中央部を斜めに立ち上げるようにして成形した部分であり、張り出し部５５の幅方向中央部には、丁度、バネ５７を切り出した部分に相当する溝状の長穴５５ｃが形成されている。張り出し部５５は、長穴５５ｃを介して両側の板部５５ｄ、５５ｅにほぼ分断された形状になっている。前記ストッパ５５ｂは、長穴５５ｃを介して両側の板部の内の一方に板部５５ｄ先端を突起状に成形した部分である。
なお、張り出し部５５は、該張り出し部５５の幅方向両端部を立ち上げるようにして曲げ成形した補強リブ５５ｆによって、撓みなどの変形が生じにくくなっている。
【００３６】
上述したシャッター付き光コネクタ１０であれば、コネクタハウジング１４のコネクタ穴１４ａ内にて光コネクタ１６Ａ、１６Ｂ同士を接続する場合、どちらか一方の光コネクタのみを先行してコネクタハウジング１４に挿入した後（先行して挿入した光コネクタが被接続側光コネクタ）、他方の光コネクタをコネクタハウジング１４に挿入接続する手順であっても、先行してコネクタハウジング１４に挿入されている光コネクタ先端からの出射光（具体的にはフェルール１９先端に露出する光ファイバからの出射光。以下、この出射光を「光コネクタ先端からの出射光」と略称する場合がある）がシャッターユニット１５のシャッター片５３によって遮光されて、コネクタ穴１４ａから飛び出すことが防止されるため、後からコネクタハウジング１４に挿入して被接続側光コネクタに対して接続する光コネクタのコネクタ穴１４ａへの挿入、接続作業の際に、被接続側光コネクタからの出射光が邪魔になるといった不都合が無く、接続作業を効率良く行える。
【００３７】
また、このシャッター付き光コネクタ１０では、コネクタ穴１４ａへ光コネクタを挿入していけば、この光コネクタによってシャッター片５３を押圧することで、該シャッター片５３を前記コネクタ穴１４ａ内への突出量を減少するように押し倒して、光コネクタを押し込むことができる。シャッター片５３は、光コネクタの挿入には何等支障は無いものであり、コネクタ穴１４ａの両側から挿入された光コネクタ１６Ａ、１６Ｂは、それぞれ、シャッター片５３を押し倒して、一対のシャッター片５３Ａ、５３Ｂの間の領域に進入させて、接続作業を行うことができる。
また、前記コネクタ穴１４ａから前記光コネクタを抜き去ると、シャッター片５３が、付勢手段５７の付勢力によって前記出射光を遮光可能な位置（前述の遮光位置）に復帰する。
【００３８】
ところで、バネ５７の本体部５１（詳細には張り出し部５５）から突出された先端は、シャッター片５３の前記枢着部５２による回転軸線から最も遠い先端部（ここでは突起５３ａの突出先端）よりも前記回転軸線側にずれた位置に当接されており、具体的には、シャッター片５３のほぼ中央部に当接されている。コネクタ穴１４ａに挿入された光コネクタがシャッター片５３を押し倒すようにして押圧すると、バネ５７は、シャッター片５３の固定板部５４に臨む側の面に沿って軸５２方向に押し倒されていき、これに伴い、シャッター片５３もバネ５７に重なるようにして押し倒されていく（待避位置）。また、コネクタ穴１４ａに挿入され、シャッター片５３を待避位置に押し込んでいる光コネクタを、コネクタ穴１４ａから抜き出せば、待避位置にあるシャッター片５３がバネ５７の弾性によって、押し戻されるようにして、元の遮光位置に復帰される。
このとき、バネ５７の変位は、シャッター片５３の回転変位よりも小さいものである。このため、仮にシャッター片５３を、本体部５１から連続する金属板等からなる板バネとし、この板バネであるシャッター片自体の弾性によって、待避位置から遮光位置へのシャッター片の復帰を行うようにした場合に比べて、バネ５７の疲労等による特性劣化を大幅に軽減でき、長期耐久性が得られる利点がある。
【００３９】
（コネクタ取付穴の電磁波シールドについて）
図６に示すように、シャッターユニット１５には、本体部５１（詳細には固定板部５４）の周囲に通電用コンタクト５８が突設されている。この通電用コンタクト５８は、図１、図７に示すように、シャッター付き光コネクタ１０を組み立てたときには、コネクタハウジング１４の外側に突出される。この実施形態において、通電用コンタクト５８のコネクタハウジング１４外側への突出位置は、一対のハウジング半体１４Ａ、１４Ｂの接合部付近であり、図２に示すように、シャッター付き光コネクタ１０を筐体１１の取付壁１２のコネクタ取付穴１３に押し込んで、取付壁１２に取り付けると、丁度、通電用コンタクト５８がコネクタ取付穴１３内面に圧接されるようになっている。通電用コンタクトとしては、シャッターユニット１５に別途接続する別部材であってもよいが、ここでは、通電用コンタクト５８は、具体的には、シャッターユニット１５の本体部５１を構成する金属板の前記本体部５１からの延出部分をバネ状の小突起に加工したものであり、コネクタ取付穴１３への押し込みによって、コネクタ取付穴１３内面に付勢力を以て確実に接触されるようになっている。
ここで、筐体１１（取付壁１２を含む）は電磁波シールド性能を有するものであり、例えばステンレス等の導電性の金属板から形成したものや、板材等の基材に導電性の塗料（例えば、電磁波吸収作用を持つ磁性金属粉を混入したペースト等）を塗布して形成した導電性塗膜やフィルムの貼着等によって導電層が設けられているもの（この場合は、筐体を形成する材質に限定は無い）、導電性繊維（金属繊維等）からなる導電性布帛を板材に固定したものなどが採用可能であり、通電用コンタクト５８の接触によって、シャッターユニット１５を通電用コンタクト５８を介して筐体１１と電気導通可能に接続して、筐体１１をグランドとして機能させることにより、シャッターユニット１５によるコネクタ取付穴１３の電磁波シールド性能が良好に確保される。
【００４０】
また、図２中、符号２０で示すシールドカバーは、ハウジング半体１４Ｂの断面長方形状のハウジング本体部１４ｂ（図１（ｃ）参照）の４側面（周面）の内の３面に対して個別に装着される３つの側板部２０ａ、２０ｂ、２０ｃを有し、全体がステンレス等の導電性の金属板で形成され、ハウジング半体１４Ｂを３方から取り囲むカバー状の部材である。このシールドカバー２０の３つの側板部２０ａ、２０ｂ、２０ｃは、ハウジング本体部１４ｂの３面に形成されている浅溝１４ｐ（図８、図９参照）に収納するようにして、ハウジング本体部１４ｂの外側に、位置ズレを生じないようにして装着される。
このシールドカバー２０の対向する両側に位置する側板部２０ｂ、２０ｃから外側に突出された係止爪２０ｄは、図２等に示すように、このシャッター付き光コネクタ１０を取付壁１２のコネクタ取付穴１３に挿入したときに、コネクタ取付穴１３の周囲の取付壁１２に係合して、取付壁１２からのシャッター付き光コネクタ１０の離脱を防止する機能を果たすとともに、筐体１１との接触によって電気導通可能に接続されて、シールドカバー２０の電磁波シールド性能を発揮する。
この係止爪２０ｄは、側板部２０ｂ、２０ｃの一部を外側に突出するように成形した部分であり、ハウジング半体１４Ｂの接合端面１４ｉから遠い側から、接合端面１４ｉ側に行くにしたがって、ハウジング半体１４Ｂ外側への突出量が次第に増大する形成されている。
【００４１】
コネクタ取付穴１３の電磁波シールド性の確保には、コネクタハウジング１４自体も電磁波シールド機能を有するものであることが好ましいことは言うまでも無い。例えば、カーボンフィラー等の電磁波吸収作用を有する微細粉を成形樹脂中に混入分散した合成樹脂によって形成したコネクタハウジング１４（あるいはハウジング半体）の採用が可能であるが、これに限定されず、例えば合成樹脂等からなる基材に導電性の塗料（例えば、電磁波吸収作用を持つ磁性金属粉を混入したペースト等）を塗布して形成した導電性塗膜を有するもの、導電性繊維（金属繊維等）からなる導電性布帛を固定したものなども採用可能である。
【００４２】
このシャッター付き光コネクタ１０を取付壁１２に取り付けるには、このシャッター付き光コネクタ１０を筐体１１の外側（図２中、取付壁１２の左側）から、シールドカバー２０が取り付けられている側（ここではハウジング半体１４Ｂの側）を押し込み方向前側として取付壁１２のコネクタ取付穴１３に押し込む（図２中、取付壁１２の右側へ向けて押し込む）。コネクタ取付穴１３は、シャッター付き光コネクタ１０のシールドカバー２０の装着部分の外形にほぼ一致する形状に形成されており、コネクタ取付穴１３へのシャッター付き光コネクタ１０の押し込みの進行に伴って、シールドカバー２０の係止爪２０ｄが、コネクタ取付穴１３内壁面との当接によって弾性変形されてコネクタハウジング１４側に押し込まれた後、取付壁１２を通過したところで自身の弾性によって突出状態を復元して、筐体１１内側から取付壁１２に係合する。これにより、係止爪２０ｄと突片１４ｃとの間に取付壁１２が挟み込まれて、シャッター付き光コネクタ１０が取付壁１２に対して安定に取り付けられる。このとき、取付壁１２に対する係止爪２０ｄの係合を解除しない限り取付壁１２からのシャッター付き光コネクタ１０の離脱が不可能であり、不用意な引き抜き等を防止できる。
【００４３】
この実施の形態の筐体１１は、導電性を有する部分（グランド用導電体）が少なくとも取付壁１２の内面側の係止爪２０ｄが当接される箇所に露出されているものであり、この筐体１１の取付壁１２に係止爪２０ｄが係止されると、この係止爪２０ｄを介して、シャッターユニット２０と筐体１１のグランド用導電体部分とが電気導通可能に接続され、シャッターユニット２０のグランドが確保される。
【００４４】
このシャッター付き光コネクタ１０が取付壁１２に取り付けられると、取付壁１２のコネクタ取付穴１３がシャッター付き光コネクタ１０によってほぼ隙間無く塞がれた状態となる。このとき、シャッターユニット１５の本体部５１（詳細には固定板部５４）がコネクタ取付穴１３の周囲に配置され、さらに本体部５１の窓５６（固定板部５４の窓５６）がシャッター片５３Ａ、５３Ｂに塞がれることになり、これにより、コネクタ取付穴１３のほぼ全体を塞ぐように配置されたシャッターユニット１５によって、コネクタ取付穴１３を効果的に電磁波シールドすることができる。
【００４５】
（他の態様）
図１４、図１５は、一枚の金属板（ステンレス等）を加工して形成したシャッターユニット３０を適用したシャッター付き光コネクタの例を示す。このシャッターユニット３０は、本体部５１（固定板部５４を含む）と、シャッター片５３Ａ、５３Ｂとを含む全体を一枚の金属板によって形成した１部品になっている。この構成であれば、部品点数が少なく、低コスト化できる利点がある。また、小型化も容易である利点がある。
【００４６】
前述したシャッター付き光コネクタによれば、シャッターユニット３０をコネクタハウジング内に組み込んだシャッターユニット３０は、本体部５１の対向する両側にシャッター片５３Ａ、５３Ｂを有しているので、コネクタハウジング１４の対向する両側から挿入してコネクタ穴１４ａ内で接続される一対の光コネクタ１６Ａ、１６Ｂの内のどちらが被接続側光コネクタであっても、同様に遮光の効果が得られる。
【００４７】
なお、本発明は、前述の実施の形態に限定されず、各種変更が可能である。
例えば、シャッターユニットの具体的形状は、前述の実施の形態に例示したものに限定されず、適宜設計変更可能である。
また、前記実施の形態では、ＭＰＯ形光コネクタの光コネクタプラグ同士の接続に用いられる光コネクタアダプタへの適用例を例示したが、本発明はこれに限定されず、ＭＰＯ形光コネクタ以外の光コネクタプラグ同士の接続に用いられる光コネクタアダプタに適用可能である。また、光コネクタアダプタに限定されず、例えば光コネクタレセプタクル等、光コネクタプラグが挿入、接続されるコネクタ穴を有する各種光コネクタに適用可能である。
シャッターユニットのグランドを確保するための構成としては、シャッターユニットを、グランドとして機能する取付壁に電気導通可能に接続する構成に限定されず、例えば、別途配線されたグランド用の電線との接続等、各種採用可能である。また、シャッターユニットを、グランドとして機能する取付壁に電気導通可能に接続する構成としては、前述の実施の形態のように、シャッターユニットに設けた通電用コンタクトを直接、取付壁に接触させて電気導通可能に接続する構成の他、前述の実施の形態に例示したシールドカバーのように、取付壁に接触させて電気導通可能に接続されるシールドカバーを経由して取付壁に電気導通可能に接続する構成も採用可能である。
シャッター付き光コネクタの取り付け対象の取付壁としては、機器の筐体の一部に限定されず、例えば、光配線盤等の架体において光コネクタアダプタ等の光コネクタを実装するためのパネル等、各種構成が採用可能である。
シャッター片を本体部に枢着する枢着部としては、前記軸以外、各種構成が採用可能である。
前述の実施の形態では、対向する両側にシャッター片を有する構成のシャッターユニットを例示したが、本体部の片側のみにシャッター片を有する構成も採用可能である。
【００４８】
【発明の効果】
以上述べたように、本発明のシャッター付き光コネクタによれば、シャッターユニットによって、被接続側光コネクタからの出射光を遮光できるため、被接続側光コネクタに対する別の光コネクタの接続作業を効率良く行える。
また、このシャッター付き光コネクタは、取付壁のコネクタ取付穴に位置決めして取り付けると、該シャッター付き光コネクタのシャッターユニットがコネクタ取付穴を塞ぐように配置されて電磁波シールド性能を発揮するため、コネクタ取付穴に電磁波シールド性を簡単に確保できる。これにより、取付壁に光コネクタアダプタ等の光コネクタを取り付けるために形成するコネクタ取付穴に、優れた電磁波シールド性を容易に確保できる。特に、光コネクタアダプタ等の光コネクタに前記シャッターユニットがコネクタ穴を横切るようにして組み込まれ、前記シャッターユニットの前記コネクタ穴を横切るようにして配置された部分に、前記光コネクタプラグが挿通可能な窓が形成されている構成を採用すれば、例えば光コネクタアダプタのように、内部を貫通するコネクタ穴を有する構造の光コネクタであっても、窓を出来るだけ小さく形成することで、コネクタ取付穴の電磁波シールド性をより効果的に確保できる。さらに、前記シャッターユニットの前記窓が形成された部分が、前記コネクタ穴に挿入された光コネクタプラグと別の光コネクタとの前記コネクタ穴内での接続位置付近に設けられている構成を採用すると、他の部分に比べて先端部の断面形状が小さい構造の光コネクタプラグに対応する場合、窓の小型化が容易であり、より優れた電磁波シールド性能をコネクタ取付穴に確保することができる。また、前記シャッターユニットとしては、一枚の金属板を成形したもので良く、この場合には、部品点数が非常に少なくて済み、低コスト化を実現できる。
【図面の簡単な説明】
【図１】本発明の１実施形態のシャッター付き光コネクタの構造を示す図であって、（ａ）は平面図、（ｂ）は左側面図、（ｃ）は正面図、（ｄ）は右側面図である。
【図２】筐体の取付壁に対する図１のシャッター付き光コネクタの取付状態を示す図であって、取付壁のコネクタ取付穴付近を示す断面図である。
【図３】図２の取付状態を筐体外側から見た斜視図である。
【図４】取付壁に形成されたコネクタ取付穴を示す斜視図である。
【図５】図２の取付状態を筐体内側から見た斜視図である。
【図６】図１のシャッター付き光コネクタのシャッターユニットを示す斜視図である。
【図７】図１のシャッター付き光コネクタを示す全体斜視図である。
【図８】図１のシャッター付き光コネクタの構造を示す分解図である。
【図９】（ａ）、（ｂ）は、図１のシャッター付き光コネクタのコネクタハウジングを示す断面図である。
【図１０】図１のシャッター付き光コネクタのシャッターユニットの本体部を示す図であって（ａ）は平面図、（ｂ）は正面図、（ｃ）は一方の張り出し部の側から見た側面図である。
【図１１】図１０のシャッターユニットの本体部を示す斜視図である。
【図１２】図１０のシャッターユニットのシャッター片のストッパ当接部と、張り出し部先端のストッパとの関係を示す拡大図である。
【図１３】光コネクタアダプタに挿入、接続される光コネクタプラグ先端部とシャッターユニットの窓との関係を示す斜視図である。
【図１４】全体が１枚の金属板からなる１部品のシャッターユニットを示す斜視図である。
【図１５】図１４のシャッターユニットをコネクタハウジング内に組み込んだ状態を示す断面図である。
【図１６】本発明に係るシャッター付き光コネクタを適用した光コネクタレセプタクルを示す断面図であり、（ａ）はコネクタハウジングに別体の被接続側光コネクタを組み込んだ構成、（ｂ）はコネクタハウジングと一体に被接続側光コネクタを形成した構成を示す。
【図１７】光コネクタアダプタを介した光コネクタプラグの接続を示す断面図である。
【図１８】機器の筐体の取付壁（パネル）に対する光コネクタアダプタの取付状態を示す斜視図である。
【図１９】図２０の取付壁に開口されたコネクタ取付穴を示す斜視図である。
【図２０】図２０の光コネクタアダプタの取付壁に対する取付状態を示す図であって、コネクタ取付穴付近を示す断面図である。
【符号の説明】
１０…シャッター付き光コネクタ、１２…取付壁、１３…コネクタ取付穴、１４…コネクタハウジング（光コネクタアダプタ）、１４ａ…コネクタ穴、１４Ａ，１４Ｂ…ハウジング半体、１５…シャッターユニット、１６Ａ，１６Ｂ…光コネクタ、５１…本体部（遮蔽板）、５２…枢着部（軸）、５３，５３Ａ，５３Ｂ…シャッター片、５４…固定板部（遮蔽板）、５６…窓、５７…付勢手段（板状のバネ）。
【図１】
2004177417.tif 000003
【図２】
2004177417.tif 000004
【図３】
2004177417.tif 000005
【図４】
2004177417.tif 000006
【図５】
2004177417.tif 000007
【図６】
2004177417.tif 000008
【図７】
2004177417.tif 000009
【図８】
2004177417.tif 000010
【図９】
2004177417.tif 000011
【図１０】
2004177417.tif 000012
【図１１】
2004177417.tif 000013
【図１２】
2004177417.tif 000014
【図１３】
2004177417.tif 000015
【図１４】
2004177417.tif 000016
【図１５】
2004177417.tif 000017
【図１６】
2004177417.tif 000018
【図１７】
2004177417.tif 000019
【図１８】
2004177417.tif 000020
【図１９】
2004177417.tif 000021
【図２０】
2004177417.tif 000022